Podtech/llm-jp-corpus-v4-ja_patent huggingface dataset:
【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
過剰増殖性組織の非経口的、局所的な治療のための調製物、特に病理学的な血管壁の変化を抑制し再狭窄を防止するための、並びに血管壁の損傷又は血流の制限／塞栓がない急性治療の段階での局所的腫瘍の治療のための調製物であって、抗肥厚活性薬剤を含有し、血管壁への速く十分な吸収を遅らせるミセル形成物質を含まず、有機溶媒の含有量が１０％未満であり又は有機溶媒が乾燥で除去されており、該活性薬剤が、０．５以上のブタノール／水系での分配係数を含みかつ／又は細胞成分に結合している、該調製物。
【請求項２】
調製物が液体であり、抗肥厚剤が完全に水性の媒質中で飽和濃度を越えて存在する、請求項１に記載の調製物。
【請求項３】
画像化を向上させるための薬剤に入れられる請求項１に記載の調製物。
【請求項４】
カテーテルに適用される請求項１に記載の調製物。
【請求項５】
抗肥厚剤が、細胞分裂抑制剤、コルチコイド、プロスタサイクリン、酸化防止剤、または免疫抑制剤である請求項１から４の何れか一項に記載の調製物。
【請求項６】
抗肥厚剤が、タキソイドである請求項１又は２に記載の調製物。
【請求項７】
抗肥厚剤が、パクリタキセル、ドセタキセル、プロブコール、ポルフィリン誘導体、コルヒチン、またはエピシロンである請求項１又は２に記載の調製物。
【請求項８】
動脈／静脈の画像化を向上させるための薬剤が、血管または血流の画像表示の向上のためのＸ線撮影、超音波検査、光学画像、または磁気共鳴画像に使用され、血管が耐容できる溶液、懸濁液、または乳濁液からなる請求項３に記載の調製物。
【請求項９】
動脈／静脈の画像化を向上させるための薬剤が、Ｘ線造影剤である請求項８に記載の調製物。
【請求項１０】
動脈／静脈の画像化を向上させるための薬剤が、イオジキサノール（Ｖｉｓｉｐａｑｕｅ）、ガドリニウム−ＤＴＰＡ（Ｍａｇｎｅｖｉｓｔ）、Ｇｄ−ＤＯ３Ａ−ブトロール（Ｇａｄｏｖｉｓｔ）、イオプロミド（Ｕｌｔｒａｖｉｓｔ）、イオヘキソール（Ｏｍｎｉｐａｑｕｅ）、またはイオパミドール（Ｓｏｌｕｔｒａｓｔ）である請求項８に記載の調製物。
【請求項１１】
さらに血液凝固阻害剤および／または血小板凝集阻害剤および／または酵素阻害剤および／またはカルシウムキレート剤を含有することを特徴とする請求項２又は３に記載の調製物。
【請求項１２】
ミセルを形成しない溶解促進剤を含有する請求項１から１１の何れか一項に記載の調製物。
【請求項１３】
活性薬剤又は活性薬剤を運ぶ成分が、血管壁への特異的親和性を有する請求項１から１２の何れか一項に記載の調製物。
【請求項１４】
血管造影法又は血管内腔中でカテーテルを使用する治療段階の間に、直接生物学的利用の型にある細胞増殖抑制活性薬剤を組織に運び、更なる血流の妨害ないしは血管壁への損傷を引き起こさない、再狭窄予防、病理学的な血管壁の変化の抑制及び局所的腫瘍の治療のための薬剤を製造するための、請求項１から１３の何れか一項に記載の調製物の使用。
【手続補正書】
【提出日】平成15年9月17日(2003.9.17)
【手続補正１】
【補正対象書類名】特許請求の範囲
【補正対象項目名】全文
【補正方法】変更
【補正の内容】
【特許請求の範囲】
【請求項１】
水相、油相、少なくとも１種の乳化剤、およびエピクロロヒドリン架橋グリセリルデンプンを含む、皮膚への局部塗布用乳液処方物。
【請求項２】
水相、油相、少なくとも１種の乳化剤、エピクロロヒドリン架橋グリセリルデンプンおよび少なくとも１種の日焼け止め活性剤を含む皮膚への局部塗布用乳液処方物。
【請求項３】
水相、油相、少なくとも１種の乳化剤、およびエピクロロヒドリン架橋グリセリルデンプンを含む、皮膚への局部塗布用日焼け後乳液処方物。
【請求項４】
水相、油相、少なくとも１種の乳化剤、エピクロロヒドリン架橋グリセリルデンプンおよび虫除け剤を含む、皮膚への局部塗布用乳液処方物。
【請求項５】
水相、油相、少なくとも１種の乳化剤、エピクロロヒドリン架橋グリセリルデンプン、日焼け止め活性剤および虫除け剤を含む、皮膚への局部塗布用乳液処方物。
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
プレガバリンラクトース結合体化合物又はその医薬上許容しうる塩、エステル、アミド及びプロドラッグ。
【請求項２】
(Ｓ)−１−[３,４−ジヒドロキシ−６−ヒドロキシメチル−５−(３,４,５−トリヒド
ロキシ−６−ヒドロキシメチル−テトラヒドロ−ピラン−２−イルオキシ)−テトラヒドロ−ピラン−２−イル]−４−イソブチル−ピロリジン−２−オン；
(Ｓ)−４−イソブチル−１−(２,３,４,５−テトラヒドロキシ−テトラヒドロ−ピラン−２−イルメチル)−ピロリジン−２−オン；
(Ｓ)−１−[２,３−ジヒドロキシ−５−ヒドロキシメチル−４−(３,４,５−トリヒド
ロキシ−６−ヒドロキシメチル−テトラヒドロ−ピラン−２−イルオキシ)−テトラヒド
ロ−フラン−２−イルメチル]−４−イソブチル−ピロリジン−２−オン；
(Ｓ)−４−イソブチル−１−[２,３,５−トリヒドロキシ−４−(３,４,５−トリヒドロキシ−６−ヒドロキシメチル−テトラヒドロ−ピラン−２−イルオキシ)−テトラヒドロ
−ピラン−２−イルメチル]−ピロリジン−２−オン；及び
(Ｓ)−４−イソブチル−１−(２,３,４−トリヒドロキシ−５−ヒドロキシメチル−テ
トラヒドロ−フラン−２−イルメチル)−ピロリジン−２−オンから選ばれる請求項１記
載の化合物。
【請求項３】
【化１】
2004524357.tif 000001
【化２】
2004524357.tif 000002
から選ばれる請求項２記載の化合物。
【請求項４】
請求項１記載の少なくとも一つの化合物及び医薬上許容しうる担体、賦形剤又は希釈剤を含む医薬処方物。
【請求項５】
請求項１記載の化合物を含有する中枢神経系障害又は疾患の治療剤。
【請求項６】
中枢神経系障害又は疾患が、うつ病、発作、不安症、疼痛、睡眠障害、及び肺病障害、精神病、運動障害、ハンチントン病、又はパーキンソン病である請求項５記載の治療剤。
【請求項７】
化合物が、
(Ｓ)−１−[３,４−ジヒドロキシ−６−ヒドロキシメチル−５−(３,４,５−トリヒド
ロキシメチル−テトラヒドロ−ピラン−２−イルオキシ)−テトラヒドロ−ピラン−２−
イル]−４−イソブチル−ピロリジン−２−オン；
(Ｓ)−４−イソブチル−１−(２,３,４,５−テトラヒドロキシ−テトラヒドロ−ピラン−２−イルメチル)−ピロリジン−２−オン；
(Ｓ)−１−[２,３−ジヒドロキシ−５−ヒドロキシメチル−４−(３,４,５−トリヒド
ロキシ−６−ヒドロキシメチル−テトラヒドロ−ピラン−２−イルオキシ)−テトラヒド
ロ−フラン−２−イルメチル]−４−イソブチル−ピロリジン−２−オン；
(Ｓ)−４−イソブチル−１−[２,３,５−トリヒドロキシ−４−(３,４,５−トリヒドロキシ−６−ヒドロキシメチル−テトラヒドロ−ピラン−２−イルオキシ)−テトラヒドロ
−ピラン−２−イルメチル]−ピロリジン−２−オン；及び
(Ｓ)−４−イソブチル−１−(２,３,４−トリヒドロキシ−５−ヒドロキシメチル−テ
トラヒドロ−フラン−２−イルメチル)−ピロリジン−２−オンから選ばれる請求項５記
載の治療剤。
【手続補正２】
【補正対象書類名】明細書
【補正対象項目名】００１０
【補正方法】変更
【補正の内容】
【００１０】
化合物は、構造：
【化１】
2004524357.tif 000003
【手続補正３】
【補正対象書類名】明細書
【補正対象項目名】００７２
【補正方法】変更
【補正の内容】
【００７２】
【図１】プレガバリン、プレガバリンラクタム、β−ラクトース及びβ−ラクトースモノマー（β−ガラクトース及びβ−グルコース）の構造を説明する。
【図２】４０℃／７５％のＲＨで６ヵ月間貯蔵したプレガバリン２５−ｍｇカプセルのＨＰＬＣクロマトグラムである（最初の方法）。ＨＰＬＣ条件：カラム：Ｗａｔｅｒｓ  μ−Ｂｏｎｄａｐａｋ  １０μ  Ｃ１８，３００×３.９ｍｍ  ＩＤ；移動相：５５０：３５０：１００：１  Ｈ2Ｏ：ＭｅＯＨ：ＣＨ2ＯＮ：ｐＨ７.０  リン酸緩衝剤；流速：１.０ｍＬ／分；検出波長：２１０ｎｍ；温度：周囲温度；化合物：スキーム３に示された化合物。
【図３】４０℃／７５％のＲＨで６ヵ月間貯蔵したプレガバリン２５−ｍｇカプセルのＨＰＬＣクロマトグラムである（改良方法）。ＨＰＬＣ条件；カラム：Ｐｈｅｎｏｍｅｎｅｘ  Ｌｕｎａ  Ｃ１８（２）１００×４.６ｍｍ  ＩＤ，３μ；移動相：８５：１５  ０.０５％ギ酸：ＣＨ3ＣＮ；流速：１.５ｍＬ／分；検出波長：２１０ｎｍ；温度：周囲温度；化合物：スキーム３に示された化合物。
【手続補正４】
【補正対象書類名】図面
【補正対象項目名】図３
【補正方法】追加
【補正の内容】
【図３】
2004524357.tif 000004
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
抗−ＩｇＥ抗体を含んでなる眼アレルギー障害の処置のための局所的眼用組成物。
【請求項２】
抗体がＥ２５、Ｅ２６およびそれらの混合物から選択される配列を含んでなる、請求項１に記載の組成物。
【請求項３】
抗体がＥ２５から選択される配列を含んでなる、請求項１に記載の組成物。
【請求項４】
アレルギー障害が
・季節性(枯草熱)および通年性アレルギー性結膜炎
・春季角結膜炎
・アトピー性角結膜炎
・巨大乳頭結膜炎、ならびに
・眼の接触性アレルギー
からなる群から選択される、請求項１に記載の組成物。
【手続補正書】
【提出日】平成15年3月11日(2003.3.11)
【手続補正１】
【補正対象書類名】明細書
【補正対象項目名】特許請求の範囲
【補正方法】変更
【補正の内容】
【特許請求の範囲】
【請求項１】
炭化水素燃料から硫黄化合物を除去する方法であって、
少なくとも約１１：１のギ酸対過酸化水素のモル比で過酸化水素及びギ酸を含むと共に、
前記存在する過酸化水素が、約５０℃乃至約１３０℃の温度で、前記存在する硫黄化合物を対応するスルホンへ転化させるために要求される化学量論的な量の約二倍よりも多量であるような量で、約２５重量％より少ない水を有する、
水性の酸化する溶液と、硫黄を含有する燃料を接触させて、
硫黄が除去された炭化水素燃料の相、及び前記炭化水素燃料の相から抽出された酸化された硫黄を含有する水相を、形成するステップ、
前記炭化水素燃料の相からの前記抽出された硫黄化合物を含有する前記水相を分離するステップ、並びに
減少した硫黄の含有量を有する前記燃料を含有する前記炭化水素の相を回収するステップを含む方法。
【請求項２】
前記炭化水素燃料は、ガソリンである請求項１記載の方法。
【請求項３】
前記水相をフラッシュして、前記酸化された硫黄化合物から前記ギ酸及び水を分離するステップ、
前記水相を蒸留して、前記酸から水を除去するステップ、並びに
前記酸を回収するステップ、もまた含む請求項１記載の方法。
【請求項４】
前記回収された炭化水素の相を十分な量の酸化カルシウムで処理して、その中のどんな残余の酸も中和すると共に、
前記酸化カルシウムから前記中和された燃料を分離する、さらなるステップを含む請求項１記載の方法。
【請求項５】
ディーゼル燃料から硫黄化合物を除去する方法であって、
前記方法は、
約７９重量％乃至約８９重量％のギ酸、
約２重量％乃至約３重量％の過酸化水素、及び
約８重量％乃至約１４重量％の水を、
ギ酸対過酸化水素のモル比が、約２０：１乃至約６０：１であるような量で含む酸化する溶液と、約１５分までの時間に約９０℃乃至約１０５℃の温度で前記ディーゼル燃料を接触させるステップ、を含み、
前記加えられた酸化する溶液の量は、前記ディーゼル燃料に存在する硫黄を酸化するために必要な過酸化水素の化学量論的な超過が、前記燃料における前記硫黄を酸化させるために必要とされる量の約２．５乃至約３．５倍の量にあるようなものであり、
前記方法は、
前記酸化するステップの間に、前記ディーゼル燃料から前記水性の酸化する溶液中へ、酸化された硫黄化合物を抽出して、炭化水素の相及び水相を形成するステップ、
前記炭化水素燃料の相から、前記抽出された硫黄化合物を含有する前記水相を分離するステップ、
前記燃料におけるどんな残余の酸も中和するステップ、
約２５ｐｐｍより少ない硫黄を含有する前記中和されたディーゼル燃料を回収するステップ、並びに
前記水相から前記ギ酸を回収するステップ、を含む方法。
【請求項６】
前記ギ酸は、追加の、
前記水相をフラッシュして、オーバーヘッドの流れとしての前記酸化された硫黄化合物から前記ギ酸及び水を分離するステップ、
前記オーバーヘッドの流れを蒸留して、前記ギ酸から水を除去するステップ、並びに
前記酸化する溶液における再使用のために前記ギ酸を再循環させるステップ、によって回収される請求項５記載の方法。
【請求項７】
ガス油は、前記水相をフラッシュすることに先立ち前記分離された水相に加えられて、前記溶媒及び酸化された硫黄化合物から前記水及びギ酸を分離する請求項６記載の方法。
【請求項８】
ベンゾチオフェン、ジベンゾチオフェン、並びにアルキル置換されたベンゾチオフェン及びジベンゾチオフェンを含有する炭化水素燃料から硫黄化合物を除去する方法であって、
少なくとも約１１：１のギ酸対過酸化水素のモル比で過酸化水素及びギ酸を含むと共に、
前記存在する硫黄化合物を対応するスルホンに転化するために要求される化学量論的な量の約２培より多量に存在する前記過酸化水素のような量で約２５重量％より少ない水を有する、
水性の酸化する溶液と、前記硫黄を含有する燃料を、約５０℃乃至約１３０℃の温度で接触させることによって、
スルホンとしての、酸化されたアルキル置換されたベンゾチオフェン及びジベンゾチオフェンを含有する炭化水素燃料の相、並びに実質的に全ての前記酸化されたベンゾチオフェン及びジベンゾチオフェンを含有する水相を形成するステップ、
前記抽出された酸化されたベンゾチオフェン及びジベンゾチオフェンの硫黄化合物を含有する水相を、前記酸化されたアルキル置換されたベンゾチオフェン及びジベンゾチオフェンを含有する炭化水素の相から分離するステップ、
前記炭化水素の相をフラッシュして、前記炭化水素の相から残留するギ酸及び水を除去するステップ、
前記炭化水素の相を中和すると共に脱水するステップ、
アルミナ吸着剤のベッドに前記炭化水素の相を通過させて、前記燃料から前記酸化されたアルキル置換されたベンゾチオフェン及びジベンゾチオフェンを吸着するステップ、並びに
前記酸化された硫黄化合物から、実質的に低下した硫黄の含有量を有する前記燃料を回収するステップ、を含む方法。
【請求項９】
前記炭化水素燃料は、ガソリンである請求項８記載の方法。
【請求項１０】
前記乾燥及び中和は、前記炭化水素の相の燃料に酸化カルシウムを加えること、及び前記燃料を濾過して前記燃料から固体を除去することによって、成し遂げられる請求項８記載の方法。
【請求項１１】
追加の、
前記フラッシュするステップ並びに前記中和する及び脱水するステップの間に前記炭化水素の相を冷やすステップ、並びに
固体液体セパレータとして役立つ後処理容器の中への導入に先立ち、前記炭化水素の流れに酸化カルシウムを加えるステップ、を含む請求項８記載の方法。
【手続補正書】
【提出日】平成15年10月1日(2003.10.1)
【手続補正１】
【補正対象書類名】特許請求の範囲
【補正対象項目名】全文
【補正方法】変更
【補正の内容】
【特許請求の範囲】
【請求項１】
混合するための組成物であって、以下：
Ａ）  ｉ）低い水溶性を有する、生物学的に活性な化合物；
ｉｉ）少なくとも１種の水混和性溶媒；
ｉｉｉ）脂肪酸およびその塩、ポリソルベート８０、ポロキサマーおよびＣｒｅｍｏｐｈｏｒ（登録商標）  ＥＬからなる群より選択される、少なくとも１種の膜脂質および／または少なくとも１種の界面活性剤；ならびに
Ｂ）  均質な、必要に応じて透明な、脂質の水性分散物であって、該分散物は、６６０ｎｍの波長または適切な波長において、１ｃｍの透過セルまたはキュベットを使用して、光線の少なくとも４０％が透過することを可能にする、脂質の水性分散物、
を含有する、組成物。
【請求項２】
前記脂質の分散物Ｂが、ジアシル脂質単独、または酵素加水分解によって得られる任意の組合せでのモノアシル脂質とジアシル脂質との混合物からなる、請求項１に記載の組成物。
【請求項３】
Ａにおける前記水混和性溶媒が、エタノール、９６％エタノール、無水グリセロール、プロピレングリコール、乳酸エチル、ポリエチレングリコール３００、ポリエチレングリコール４００、１，３−ブタンジオール、コハク酸ジエチルエステル、クエン酸トリエチル、セバシン酸ジブチル、ジメチルアセトアミド、ＤＭＳＯ、グリセリンホルマール、グリコフロール（テトラグリコール）、イソプロパノール、乳酸ブチルエステル、Ｎ−メチルピロリドン、ソルケトール、炭酸プロピレン、二酢酸プロピレングリコール、テトラヒドロフルフリルアルコール、ジエチレングリコールモノエチルエーテル、トリアセチンからなる群より選択される、請求項１に記載の組成物。
【請求項４】
前記脂質の分散物Ｂが、１０００ｎｍより小さい平均粒子サイズを有する、請求項１に記載の組成物。
【請求項５】
前記脂質の分散物Ｂが、３００ｎｍより小さい平均粒子サイズを有する、請求項４に記載の組成物。
【請求項６】
前記脂質の分散物Ｂが、リポソーム懸濁物である、請求項１、４、および５のいずれか１項に記載の組成物。
【請求項７】
ＡおよびＢにおける前記脂質が、リン脂質、糖脂質、スフィンゴリピド、セラミド、ガングリオシド、およびセレブロシドからなる群より選択される、請求項１に記載の組成物。
【請求項８】
前記リン脂質が、以下の式：
【化１】
2004524368.tif 000001
のリン脂質、またはこのような化合物の塩であり、ここで、
Ｒ１は、Ｃ１０〜Ｃ２０アシルを表し；
Ｒ２は、水素またはＣ１０〜Ｃ２０アシルを表し；そして
Ｒ３は、水素、２−トリメチルアミノ−１−エチル、２−アミノ−１−エチル、Ｃ１〜Ｃ４アルキル、カルボキシで置換されたＣ１〜Ｃ５アルキル、カルボキシおよびヒドロキシで置換されたＣ２〜Ｃ５アルキル、カルボキシおよびアミノで置換されたＣ２〜Ｃ５アルキル、イノシトール基またはグリセリル基を表す、
請求項７に記載の組成物。
【請求項９】
Ａにおける前記水混和性溶媒が、無水グリセロール、乳酸エチル、１，３−ブタンジオール、コハク酸ジエチルエステル、クエン酸トリエチル、セバシン酸ジブチル、ジメチルアセトアミド、ＤＭＳＯ、グリセリンホルマール、グリコフロール（テトラグリコール）、イソプロパノール、乳酸ブチルエステル、Ｎ−メチルピロリドン、ソルケトール、炭酸プロピレン、二酢酸プロピレングリコール、テトラヒドロフルフリルアルコール、ジエチレングリコールモノエチルエーテル、トリアセチンからなる群より選択され、そして前記生物学的に活性な化合物対前記膜脂質の重量比が、１以上である、請求項１〜８のいずれか１項に記載の組成物。
【請求項１０】
ＡおよびＢが、別個のコンテナ中に保持されている、請求項１に記載の組成物。
【請求項１１】
低い水溶性を有する生物学的に活性な化合物を含む、分子会合体を調製する方法であって、該方法は、第１のコンテナの内容物Ａ）と、第２のコンテナの内容物Ｂ）とを混合する工程を包含し、該Ａ）は、以下：
ｉ）低い水溶性を有する、生物学的に活性な化合物；
ｉｉ）少なくとも１種の水混和性溶媒；
ｉｉｉ）脂肪酸およびその塩、ポリソルベート８０、ポロキサマーおよびＣｒｅｍｏｐｈｏｒ（登録商標）  ＥＬからなる群より選択される、少なくとも１種の膜脂質および／または少なくとも１種の界面活性剤、
を含有し、そして該Ｂ）は、以下：
均質な、必要に応じて透明な、脂質の水性分散物であって、該分散物は、６６０ｎｍの波長または適切な波長において、１ｃｍの透過セルまたはキュベットを使用して、光線の少なくとも４０％が透過することを可能にする、脂質の水性分散物、
を含有する、方法。
【請求項１２】
コンテナＡが、エタノール、９６％エタノール、無水グリセロール、プロピレングリコール、乳酸エチル、ポリエチレングリコール３００、ポリエチレングリコール４００、１，３−ブタンジオール、コハク酸ジエチルエステル、クエン酸トリエチル、セバシン酸ジブチル、ジメチルアセトアミド、ＤＭＳＯ、グリセリンホルマール、グリコフロール（テトラグリコール）、イソプロパノール、乳酸ブチルエステル、Ｎ−メチルピロリドン、ソルケトール、炭酸プロピレン、二酢酸プロピレングリコール、テトラヒドロフルフリルアルコール、ジエチレングリコールモノエチルエーテル、トリアセチンからなる群より選択される水混和性溶媒を含有し、そして前記生物学的に活性な化合物対前記膜脂質の重量比が、１以上である、請求項１１に記載の方法。
【請求項１３】
コンテナＢ中の前記脂質の水性分散物が、リポソーム懸濁物である、請求項１１に記載の方法。
【請求項１４】
コンテナＢ中の前記脂質の水性分散物が、必要に応じて溶媒、および胆汁酸塩のような界面活性剤を含有する、等張性の、等水素イオン濃度の水性媒体中に懸濁した、０．５％ｗ／ｗ〜２５％ｗ／ｗの間の、少なくとも１種の膜脂質を含有する、請求項１３に記載の方法。
【請求項１５】
コンテナＢ中の前記脂質の水性分散物が、高圧の均質化およびマイクロフルイダイザーでの押出に供されて、１０００ｎｍより小さな粒子サイズを与える、請求項１１に記載の方法。
【請求項１６】
コンテナＢ中の前記脂質の水性分散物が、高圧の均質化およびマイクロフルイダイザーでの押出に供されて、３００ｎｍより小さな粒子サイズを与える、請求項１１に記載の方法。
【請求項１７】
前記第１のコンテナＡの前記内容物が、溶媒中の親油性化合物の溶液から、沈澱および／または溶媒除去によって調製された、アモルファス粉末である、請求項１１〜１６のいずれか１項に記載の方法。
【請求項１８】
請求項１１〜１６のいずれか１項に記載の方法であって、前記コンテナＡの前記内容物が、コンテナＢ中の前記脂質の水性分散物と混合されて、該脂質の水性分散物に、生物学的に活性な化合物を装填し、該方法は、６６０ｎｍの波長または適切な波長において、１ｃｍの透過セルまたはキュベットを用いて測定された、Ｂの初期値の２５％以下の光透過の低下によって特徴付けられる、方法。
【請求項１９】
コンテナＡおよびＢの前記内容物を混合する前記工程が、インサイチュで実施される、請求項１８に記載の方法。
【請求項２０】
注入流体に添加するための濃縮物を調製する、請求項１１〜１７のいずれか１項に記載の方法。
【手続補正書】
【提出日】平成16年10月6日(2004.10.6)
【手続補正１】
【補正対象書類名】特許請求の範囲
【補正対象項目名】全文
【補正方法】変更
【補正の内容】
【特許請求の範囲】
【請求項１】
（ａ）少量の少なくとも１つのフラノンと、
（ｂ）少量の少なくとも１つの四級化有機シランと、
（ｃ）少量の少なくとも１つの四級アンモニウム化合物と、
を含み、成分（ａ）、成分（ｂ）および成分（ｃ）の量はそれぞれ、組み合わせにより相乗的な抗菌性組成物を形成するために十分である、組成物。
【請求項２】
表面、または液体で満たされる容器もしくは導管を清浄化する方法であって、
（ａ）少量の少なくとも１つのフラノンと、
（ｂ）少量の少なくとも１つの四級化有機シランと、
（ｃ）少量の少なくとも１つの四級アンモニウム化合物と、
を含む相乗的な抗菌性組成物を提供することと、
清浄化される表面または容器または導管に前記組成物を適用することと、
を含む方法。
【手続補正２】
【補正対象書類名】明細書
【補正対象項目名】００５８
【補正方法】変更
【補正の内容】
【００５８】
【表３】
2004524367.tif 000001
滅菌されたガラス製の顕微鏡観察用スライドガラスを上記配合物（Ｅ、Ｆ、ＧおよびＨ）の中に浸けた。過剰な溶液を除いた。十分に乾燥したとき、スライドガラスを、８００ｍｌのトリプチケースソイブロス（ｔｒｙｐｔｉｃａｓｅ ｓｏｙ ｂｒｏｔｈ）で満たされ、そしてまた磁石撹拌子を含有する大きい滅菌ビーカーの中につり下げた。それぞれのビーカーには、８枚の同様にコーティングされたスライドガラスが入れられた。別のビーカーには、８枚の未処理の滅菌スライドガラスがコントロールとして入れられた。これらのビーカーは多点磁石撹拌プレートに載せられ、Ｓｔａｐｈｙｌｏｃｏｃｃｕｓ ａｕｒｅｕｓのオーバーナイトカルチャー１ｍｌが接種された。
【手続補正書】
【提出日】平成17年2月25日(2005.2.25)
【手続補正１】
【補正対象書類名】明細書
【補正対象項目名】０００２
【補正方法】変更
【補正の内容】
【０００２】
ＳＴＡＴは、サイトカインおよび成長因子レセプターからのシグナル伝達に関与するタンパク質である。ＳＴＡＴ６は活性化ＩＬ−４／ＩＬ−１３レセプターα−鎖上の特異的ホスホチロシンモチーフに結合する。結合すると、タンパク質はＪＡＫキナーゼによりリン酸化され、ついで、ＳＴＡＴ６はホモダイマーを形成し、それは核に転位し、遺伝子転写を刺激する。マウスにおける遺伝子ノックアウト試験は、ＳＴＡＴ６が、アレルギー疾患における病理学的結果を有する、すなわち、ＩｇＥ生成およびＴヘルパー細胞のＴｈ２表現型への分化であるＩＬ−４／ＩＬ−１３応答に必要であることを示している(Linehan LA. Warren WD. Thompson PA. Grusby MJ. Berton MT. STAT6 is required for IL-4-induced germline Ig gene transcription and switch recombination. Journal of Immunology. 161(1):302-10, 1998; Kaplan MH. Schindler U. Smiley ST. Grusby MJ. Stat6 is required for mediating responses to IL-4 and for development of Th2 cells. Immunity. 4(3):313-9, 1996; Malabarba MG. Rui H. Deutsch HH. Chung J. Kalthoff FS. Farrar WL. Kirken RA. Interleukin-13 is a potent activator of JAK3 and STAT6 in cells expressing interleukin-2 receptor-gamma and interleukin-4 receptor-alpha. Biochemical Journal. 319 (Pt 3):865-72, 1996.)。
【手続補正２】
【補正対象書類名】明細書
【補正対象項目名】００１４
【補正方法】変更
【補正の内容】
【００１４】
さらに別の態様において、本発明は式(Ｉａ)：
【化５】
2004524361.tif 000001
〔式中、Ｚ、Ｒ３、Ｒ４およびＸは前記で定義の通り、およびＲ２ｃは水素、シアノ、ニトロ、ハロゲン、Ｎ３、Ｃ１−６アルキル、Ｃ１−６アルコキシ、Ｃ１−６ハロアルキル、Ｃ１−６ハロアルコキシ、Ｃ１−６アルキルチオ、Ｃ３−６シクロアルキル、ＣＯ２Ｈ、ＣＯ２(Ｃ１−６アルキル)、ＣＯＮＲ１３Ｒ１４、ＣＯＲ１５、ＳＯ２Ｒ１６、メチレンジオキシ、ＮＨＣＯＲ１７またはヘテロシクリルである；ここで、Ｒ１３、Ｒ１４、Ｒ１５、Ｒ１６およびＲ１７は上記で定義の通りである〕
の化合物、またはそれらの薬学的に許容される塩；またはそれらの溶媒和物を提供する。
【手続補正３】
【補正対象書類名】明細書
【補正対象項目名】００３９
【補正方法】変更
【補正の内容】
【００３９】
本発明により、(ヒトのような)哺乳類における(ＳＴＡＴ６シグナル経路の調整におけるような；例えば、アトピー性皮膚炎、蕁麻疹、アレルギー性喘息、アレルギー性鼻炎、食物アレルギー、アレルギー性結膜炎、花粉症、水疱性類天疱瘡、工業的感作、移植の慢性拒絶反応またはＣＯＰＤの処置におけるような；特に、アレルギー性喘息、またはアレルギー性鼻炎、またはＣＯＰＤの)処置に使用するための医薬の製造における、上記の任意の場所で定義したような式(Ｉ)、(Ｉａ)、(Ｉｂ)、(Ｉｃ)、(Ｉｄ)または(Ｉｅ)の化合物、またはそれらの薬学的に許容される塩；またはそれらの溶媒和物の使用を提供する。
【手続補正４】
【補正対象書類名】明細書
【補正対象項目名】０１４１
【補正方法】変更
【補正の内容】
【０１４１】
サイトカイン−応答ヒト細胞系Ｕ９３７を、ルシフェラーゼに関して異種ホタル遺伝子を駆動するインターロイキン４(ＩＬ−４)応答プロモーターからなるレポーター遺伝子プラスミドでトランスフェクトした。レポーター遺伝子プラスミドはまたネオマイシン耐性に関する遺伝子を含んだ。ＩＬ−４応答プロモーターを、ＴＡＴＡ−ボックスと密接した、ヌクレオチド配列ＧＴＴＧＣＴＣＡＡＴＣＧＡＣＴＴＣＣＣＡＡＧＡＡの４つのオリゴマー化複合化Ｃ／ＢＥＰβおよびＳＴＡＴ６結合部位により構築した。レポーター遺伝子プラスミドの安定な統合がされた細胞をネオマイシン中の培養により選択した。このようなトランスフェクトした細胞を、１０ng／ml組み換えヒトＩＬ−４の０.５−１×１０６細胞／mlまでの添加によるＩＬ−４誘導に使用した。ＩＬ−４誘導を４−５時間行った。その後、細胞を融解し、ルシフェラーゼ活性を標準技術を使用して測定した。測定した数は、平均倍率誘導である(Ｕ９３７の誘導倍率は、非処理Ｕ９３７細胞サンプルにおけるルシフェラーゼ応答で割った、ＩＬ−４誘導Ｕ９３７細胞サンプルにおけるルシフェラーゼ応答として定義する)。典型的に、ＩＬ−４刺激は、ルシフェラーゼ応答の１５−２０倍の誘導を引き起こした。化合物を、レポーター遺伝子アッセイにおいて試験する場合、ＩＬ−４の５分前に添加した。化合物の効果を、ＩＬ−４の添加に対するルシフェラーゼ応答の５０パーセント阻害(ＩＣ５０)をもたらす化合物の濃度として表した。試験した化合物の結果を、表IVに示す。
【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
ウコンの超臨界抽出物及び水アルコール抽出物を含む組成物であって、ヒトにおいて煙を解毒するために有効な量のウコンの超臨界抽出物及び水アルコール抽出物から調製される組成物。
【請求項２】
水アルコール抽出物対超臨界抽出物の重量比が、水アルコール抽出物約３．０〜６．０部に対して、超臨界抽出物１部の割合である、請求項１に記載の組成物。
【請求項３】
クルクミノイド、酸化防止剤及びツルメロンのうち少なくとも１つを含む、請求項１に記載の組成物。
【請求項４】
ウコンの超臨界抽出物が約４３〜４７％のツルメロンを含み、ウコンの水アルコール抽出物が約１１〜１５％のクルクミノイドを含む、請求項１に記載の組成物。
【請求項５】
緑茶の水抽出物をさらに含む組成物であって、ウコンの超臨界抽出物及び水アルコール抽出物のうち少なくとも１つが、緑茶の水抽出物との組み合わせにおいて相乗的に作用する、請求項１に記載の組成物。
【請求項６】
煙の毒素に曝されたヒトに有効量の組成物を治療的に有効な期間経口投与する、請求項１に記載の組成物。
【請求項７】
煙の毒素に曝されたヒトにおいて、変異誘発物質及びフィブリノーゲンの上昇したレベルを低下させるために使用される、請求項６に記載の組成物。
【請求項８】
ウコン及びショウガの超臨界抽出物及び水アルコール抽出物；
ローズマリー、パセリの種子、ペパーミント及びクローブの超臨界抽出物；
ローズマリー、パセリの葉、ペパーミント及びクローブの水アルコール抽出物；並びに
緑茶の水抽出物、
を含む組成物であって、
ヒトにおいて煙を解毒するために有効な量の（ｉ）ウコン及びショウガの超臨界抽出物及び水アルコール抽出物、（ｉｉ）ローズマリー、パセリの種子、ペパーミント及びクローブの超臨界抽出物、並びに（ｉｉｉ）ローズマリー、パセリの葉、ペパーミント及びクローブの水アルコール抽出物から調製される組成物。
【請求項９】
ウコンの水アルコール抽出物とウコンの超臨界抽出物の重量比が、水アルコール抽出物約３．０〜６．０部に対して超臨界抽出物１部の割合である、請求項８に記載の組成物。
【請求項１０】
ショウガの水アルコール抽出物とショウガの超臨界抽出物の重量比が、水アルコール抽出物約４．４部に対して超臨界抽出物１部の割合である、請求項８に記載の組成物。
【請求項１１】
（ｉ）ローズマリーの水アルコール抽出物とローズマリーの超臨界抽出物の重量比が約１．７５：１〜２．２５：１；（ｉｉ）パセリの葉の水アルコール抽出物とパセリの種子の超臨界抽出物の重量比が約１．７５：１〜２．２５：１；（ｉｉｉ）ショウガの水アルコール抽出物とショウガの超臨界抽出物の重量比が約４：１〜６：１；（ｉｖ）ペパーミントの水アルコール抽出物とペパーミントの超臨界抽出物の重量比が約１．７５：１〜２．２５：１（ｖ）クローブの水アルコール抽出物とクローブの超臨界抽出物の重量比が約１．７５：１〜２．２５：１、並びに（ｖｉ）ウコン、ローズマリー、パセリ、ショウガ、ペパーミント及びクローブの抽出物と緑茶の抽出物の重量比が約１：１〜２：１である、請求項８に記載の組成物。
【請求項１２】
（ｉ）約４５〜５５重量％のウコンの水アルコール抽出物及び超臨界抽出物；（ｉｉ）約１．５〜２．５重量％のローズマリーの超臨界抽出物及び水アルコール抽出物；（ｉｉｉ）約１．５〜２．５重量％のパセリの種子の超臨界抽出物及びパセリの葉の水アルコール抽出物；（ｉｖ）約１．５〜２．５重量％のショウガの水アルコール抽出物及び超臨界抽出物；（ｖ）約１．５〜２．５重量％のペパーミントの超臨界抽出物及び水アルコール抽出物；（ｖｉ）約１．５〜２．５重量％のクローブの超臨界抽出物及び水アルコール抽出物；並びに（ｖｉｉ）約３５〜４５重量％の緑茶の水抽出物を含む、請求項８に記載の組成物。
【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
一般式（Ｉ）の化合物：
【化１】
2004524316.tif 000001
［式中、
Ｒ１は、フェニルである［それは（Ｃ１−Ｃ４）アルキル、（Ｃ１−Ｃ４）アルコキシ、ハロゲン、シアノ、−ＮＨＣＯＲ８、−ＮＨＳＯ２Ｒ９、−ＳＯ２ＮＲ１０Ｒ１１、ＳＯ２Ｒ１２および−ＮＲ１３Ｒ１４からなる群から選択された同一または異なった３つまでの基により置換されていてもよい（ただし、Ｒ８、Ｒ１０、Ｒ１１、Ｒ１３およびＲ１４は、互いに独立して水素または（Ｃ１−Ｃ４）アルキルであり、そしてＲ９とＲ１２は、互いに独立して（Ｃ１−Ｃ４）アルキルであるか、またはＲ１０とＲ１１は、隣接する窒素原子と合してアゼチジン−１−イル、ピロール−１−イル、ピペリジ−１−イル、アゼピン−１−イル、４−メチル−ピペラジン−１−イルまたはモルホリン−１−イルを形成するか、またはＲ１３とＲ１４は、隣接する窒素原子と合してアゼチジン−１−イル、ピロール−１−イル、ピペリジ−１−イル、アゼピン−１−イル、４−メチル−ピペラジン−１−イルまたはモルホリン−１−イルを形成する。）］；
Ｒ２とＲ３は、互いに独立して水素またはフッ素である；
Ｒ４は、（Ｃ１−Ｃ４）アルキルである；
Ｒ５は、（Ｃ１−Ｃ３）アルキルである；
Ｒ６は、水素またはメチルである；
Ｒ７は、（Ｃ１−Ｃ１０）アルキル、（Ｃ２−Ｃ１０）アルケニルまたは（Ｃ２−Ｃ１０）アルキニルである；そして
Ｌは、カルボニルまたはヒドロキシメタンジイルである。］
およびその生理学的に許容される塩、水和物および／または溶媒和物。
【請求項２】
Ｒ１がフェニルであって、そのメタおよび／またはパラ位が（Ｃ１−Ｃ４）アルキル、（Ｃ１−Ｃ４）アルコキシおよび−ＳＯ２ＮＲ１０Ｒ１１（ただし、Ｒ１０およびＲ１１は請求項１におけると同意義である。）からなる群から選択された同一または異なった３つを越えない基によって置換されているものである、請求項１記載の化合物。
【請求項３】
Ｒ７が（Ｃ４−Ｃ７）アルキルまたは（Ｃ４−Ｃ７）アルケニルである、請求項１または２記載の化合物。
【請求項４】
Ｒ１がフェニルであって、そのメタおよび／またはパラ位が（Ｃ１−Ｃ４）アルキル、（Ｃ１−Ｃ４）アルコキシおよび−ＳＯ２ＮＲ１０Ｒ１１（ただし、Ｒ１０およびＲ１１は互いに独立して水素または（Ｃ１−Ｃ４）アルキルである。）からなる群から選択された同一または異なった３つを越えない基によって置換されているものであり、
Ｒ２およびＲ３が水素であり、
Ｒ４がメチルまたはエチルであり、
Ｒ５がメチルであり、
Ｒ６が水素またはメチルであり、
Ｌがカルボニルまたはヒドロキシメタンジイルであり、そして
Ｒ７がｎ−ブチル、ｎ−ペンチル、ｎ−ヘキシルまたはｎ−ペント−４−エン−１−イルである、
請求項１記載の化合物。
【請求項５】
請求項１に記載の一般式（Ｉ）の化合物を製造するにあたり、
［Ａ］一般式（ＩＩａ）の化合物：
【化２】
2004524316.tif 000002
［式中、Ｒ１、Ｒ２、Ｒ３、Ｒ４、Ｒ５、Ｒ６およびＲ７は、請求項１におけると同意義である。］
を適当な縮合条件下に反応させて一般式（Ｉａ）の化合物：
【化３】
2004524316.tif 000003
［式中、Ｒ１、Ｒ２、Ｒ３、Ｒ４、Ｒ５、Ｒ６およびＲ７は、請求項１におけると同意義である。］
を生成せしめ、次いで要すれば、
[Ｂ]適当な条件下で還元して、一般式（Ｉｂ）の化合物：
【化４】
2004524316.tif 000004
［式中、Ｒ１、Ｒ２、Ｒ３、Ｒ４、Ｒ５、Ｒ６およびＲ７は、請求項１におけると同意義である。］
を得ることを特徴とする方法。
【請求項６】
一般式（ＩＩ）の化合物：
【化５】
2004524316.tif 000005
［式中、Ｒ１、Ｒ２、Ｒ３、Ｒ４、Ｒ５、Ｒ６、Ｒ７およびＬは、請求項１におけると同意義である。］
およびその塩。
【請求項７】
疾病の治療および／または予防のための請求項１〜４のいずれか記載の化合物。
【請求項８】
請求項１〜４のいずれか記載の化合物を含む医薬。
【請求項９】
知覚力、集中力、学習力および／または記憶力を改善するための請求項１〜４のいずれか記載の化合物。
【請求項１０】
知覚力、集中力、学習力および／または記憶力の不調を治療および／または予防するための請求項１〜４のいずれか記載の化合物。
【請求項１１】
知覚力、集中力、学習力および／または記憶力を改善する医薬を調製するための、請求項１〜４のいずれか記載の化合物の使用。
【請求項１２】
知覚力、集中力、学習力および／または記憶力の不調を治療および／または予防する医薬を調製するための、請求項１〜４のいずれか記載の化合物の使用。
【請求項１３】
不調が痴呆症の結果である、請求項１２記載の使用。
【請求項１４】
痴呆症を治療および／または予防する医薬を調製するための、請求項１〜４のいずれか記載の化合物の使用。
【手続補正２】
【補正対象書類名】明細書
【補正対象項目名】０００８
【補正方法】変更
【補正の内容】
【０００８】
本発明は、次の一般式（Ｉ）の化合物：
【化１】
2004524316.tif 000006
［式中、
Ｒ１は、フェニルである［それは（Ｃ１−Ｃ４）アルキル、（Ｃ１−Ｃ４）アルコキシ、ハロゲン、シアノ、−ＮＨＣＯＲ８、−ＮＨＳＯ２Ｒ９、−ＳＯ２ＮＲ１０Ｒ１１、ＳＯ２Ｒ１２および−ＮＲ１３Ｒ１４からなる群から選択された同一または異なった３つまでの基により置換されていてもよい（ただし、Ｒ８、Ｒ１０、Ｒ１１、Ｒ１３およびＲ１４は、互いに独立して水素または（Ｃ１−Ｃ４）アルキルであり、そしてＲ９とＲ１２は、互いに独立して（Ｃ１−Ｃ４）アルキルであるか、またはＲ１０とＲ１１は、隣接する窒素原子と合してアゼチジン−１−イル、ピロール−１−イル、ピペリジ−１−イル、アゼピン−１−イル、４−メチル−ピペラジン−１−イルまたはモルホリン−１−イルを形成するか、またはＲ１３とＲ１４は、隣接する窒素原子と合してアゼチジン−１−イル、ピロール−１−イル、ピペリジ−１−イル、アゼピン−１−イル、４−メチル−ピペラジン−１−イルまたはモルホリン−１−イルを形成する。）］；
Ｒ２とＲ３は、互いに独立して水素またはフッ素である；
Ｒ４は、（Ｃ１−Ｃ４）アルキルである；
Ｒ５は、（Ｃ１−Ｃ３）アルキルである；
Ｒ６は、水素またはメチルである；
Ｒ７は、（Ｃ１−Ｃ１０）アルキル、（Ｃ２−Ｃ１０）アルケニル、または（Ｃ２−Ｃ１０）アルキニルである；そして
Ｌは、カルボニルまたはヒドロキシメタンジイルである。］
およびその生理学的に許容される塩、水和物および／または溶媒和物に関する。
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
毛髪を同時に淡色化し、着色するための組成物であって、
アルカリ性の部類２の脱色剤、および
分子が少なくとも１個の発色団を有し、アルカリ性の部類２の脱色剤中で安定な染料
を含む組成物。
【請求項２】
前記染料分子はさらに少なくとも１個の助色団を含む請求項１に記載の組成物。
【請求項３】
前記染料は発色団のオルトまたはパラに位置する少なくとも１個の不活性化基を有する請求項１に記載の組成物。
【請求項４】
前記不活性化基はニトロ基である請求項３に記載の組成物。
【請求項５】
前記不活性化基はハライド基である請求項３に記載の組成物。
【請求項６】
前記不活性化基はシアノ基である請求項３に記載の組成物。
【請求項７】
前記不活性化基はカルボキシル基である請求項３に記載の組成物。
【請求項８】
前記不活性化基はスルホン基である請求項３に記載の組成物。
【請求項９】
前記染料は発色団のオルトまたはパラに位置する少なくとも１個の弱活性化基を有する請求項１に記載の組成物。
【請求項１０】
前記活性化基はアルキルである請求項９に記載の組成物。
【請求項１１】
前記活性化基はアリールである請求項９に記載の組成物。
【請求項１２】
前記染料は発色団のオルトまたはパラに位置する少なくとも１個の不活性化基を有する請求項２に記載の組成物。
【請求項１３】
前記不活性化基はニトロ基である請求項１２に記載の組成物。
【請求項１４】
前記不活性化基はハライド基である請求項１２に記載の組成物。
【請求項１５】
前記不活性化基はシアノ基である請求項１２に記載の組成物。
【請求項１６】
前記不活性化基はカルボキシル基である請求項１２に記載の組成物。
【請求項１７】
前記不活性化基はスルホン基である請求項１２に記載の組成物。
【請求項１８】
前記染料は助色団のオルトまたはパラに位置する少なくとも１個の不活性化基を有する請求項２に記載の組成物。
【請求項１９】
前記不活性化基はニトロ基である請求項１８に記載の組成物。
【請求項２０】
前記不活性化基はハライド基である請求項１８に記載の組成物。
【請求項２１】
前記不活性化基はシアノ基である請求項１８に記載の組成物。
【請求項２２】
前記不活性化基はカルボキシル基である請求項１８に記載の組成物。
【請求項２３】
前記不活性化基はスルホン基である請求項１８に記載の組成物。
【請求項２４】
前記染料は発色団のオルトまたはパラに位置する少なくとも１個の弱活性化基を有する請求項２の組成物。
【請求項２５】
前記弱活性化基はアルキルである請求項２４に記載の組成物。
【請求項２６】
前記弱活性化基はアリールである請求項２４に記載の組成物。
【請求項２７】
前記染料は助色団のオルトまたはパラに位置する少なくとも１個の弱活性化基を有する請求項２の組成物。
【請求項２８】
前記弱活性化基はアルキルである請求項２７に記載の組成物。
【請求項２９】
前記弱活性化基はアリールである請求項２７に記載の組成物。
【請求項３０】
前記染料はアゾ染料である請求項１に記載の組成物。
【請求項３１】
前記染料はトリアリールメタン染料である請求項１に記載の組成物。
【請求項３２】
前記染料はチアジン染料である請求項１に記載の組成物。
【請求項３３】
前記染料はニトロ染料である請求項１に記載の組成物。
【請求項３４】
前記染料は０．００１％から２０％までの範囲で存在する請求項１に記載の組成物。
【請求項３５】
前記染料は０．０１％から１０％までの範囲で存在する請求項１に記載の組成物。
【請求項３６】
前記部類２の脱色剤は過硫酸アンモニウムを含む請求項１に記載の組成物。
【請求項３７】
前記部類２の脱色剤はさらに過硫酸カリウムを含む請求項３６に記載の組成物。
【請求項３８】
毛髪を同時に１段階で淡色化し、着色する方法であって、
アルカリ性の部類２の脱色剤粉末および適合する染料を含む組成物を提供し、過酸化水素溶液中で前記組成物を混合してなめらかなクリームを生成し、前記なめらかなクリームを毛髪に塗布して淡色化し、着色する段階を含む方法。
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
第二級ホスフィンとハロゲン源とを反応させることによるハロゲン化ホスフィンの製造方法であって、前記ハロゲン源が第四級ホスホニウムハロゲン化物を含む前記方法。
【請求項２】
前記第二級ホスフィンが一般式（I）：
Ｒ1Ｒ2ＰＨ          （I）
（式中、Ｒ1及びＲ2の各々は（同じでも異なっていてもよく）、アルキル、アリール、アラルキル、アルカリール又はシクロアルキル基を表す）を有する請求項１に記載の方法。
【請求項３】
前記第四級ホスホニウムハロゲン化物が一般式（II）：
［Ｒ3Ｒ4Ｘ2Ｐ］+Ｘ-          （II）
（式中、Ｒ3及びＲ4の各々は（互いに、並びにＲ1及びＲ2に対して同じでも異なっていてもよく）、アルキル、アリール、アラルキル、アルカリール又はシクロアルキル基を表し、Ｘはハロゲンを表す）を有する請求項１又は２に記載の方法。
【請求項４】
Ｒ1、Ｒ2、Ｒ3及びＲ4が、Ｃ1〜Ｃ4のアルキル、フェニル、トリル、キシリル及びＣ5〜Ｃ8のシクロアルキルからそれぞれ独立的に選択される請求項２又は３に記載の方法。
【請求項５】
前記ハロゲンが塩素である請求項３又は４に記載の方法。
【請求項６】
前記ハロゲンが臭素又はヨウ素である請求項３又は４に記載の方法。
【請求項７】
Ｒ1、Ｒ2、Ｒ3及びＲ4がそれぞれシクロヘキシルである請求項２〜６のいずれか一項に記載の方法。
【請求項８】
前記第二級ホスフィンがジシクロヘキシルホスフィンである請求項１〜７のいずれか一項に記載の方法。
【請求項９】
前記第四級ホスホニウムハロゲン化物がジシクロヘキシル−ジクロロホスホニウム塩化物である請求項１〜８のいずれか一項に記載の方法。
【請求項１０】
前記反応がアルカン類、ハロアルカン類、アラルカン類及びエーテル類から選択される不活性、非極性液体媒質中で行われる請求項１〜９のいずれか一項に記載の方法。
【請求項１１】
前記液体媒質がトルエン又はクロロベンゼンである請求項１０に記載の方法。
【請求項１２】
前記反応が不活性雰囲気下で行われる請求項１〜１１のいずれか一項に記載の方法。
【請求項１３】
前記反応がアルゴン下で行われる請求項１２に記載の方法。
【請求項１４】
前記第二級ホスフィンと前記第四級ホスホニウムハロゲン化物とが約１：１のモル比で反応される請求項１〜１３のいずれか一項に記載の方法。
【手続補正２】
【補正対象書類名】明細書
【補正対象項目名】０００４
【補正方法】変更
【補正の内容】
【０００４】
従って、本発明は、第二級ホスフィンと、ハロゲン源（第四級ホスホニウムハロゲン化物を含む）との反応によりハロゲン化ホスフィンを製造する方法を提供する。
【手続補正３】
【補正対象書類名】明細書
【補正対象項目名】０００６
【補正方法】変更
【補正の内容】
【０００６】
本発明によると、第二級ホスフィンは一般式（I）により便利に表される。
Ｒ1Ｒ2ＰＨ          （I）
式中、Ｒ1及びＲ2の各々は（同じでも異なっていてもよく）、アルキル、アリール、アラルキル、アルカリール又はシクロアルキル基を表す。
【手続補正４】
【補正対象書類名】明細書
【補正対象項目名】０００７
【補正方法】変更
【補正の内容】
【０００７】
さらに本発明によれば、第四級ホスホニウムハロゲン化物は一般式（II）より便利に表される。
［Ｒ3Ｒ4Ｘ2Ｐ］+Ｘ-          （II）
式中、Ｒ3及びＲ4の各々は（互いに、並びにＲ1及びＲ2に対して同じでも異なっていてもよく）、アルキル、アリール、アラルキル、アルカリール又はシクロアルキル基を同様に表し、Ｘはハロゲンを表す。
【手続補正書】
【提出日】平成16年12月9日(2004.12.9)
【手続補正１】
【補正対象書類名】特許請求の範囲
【補正対象項目名】全文
【補正方法】変更
【補正の内容】
【特許請求の範囲】
【請求項１】
ａ）ポリイソシアネート成分及び
ｂ）イソシアネート反応性成分、並びに
ｃ）前記成分ａ）及びｂ）の重量基準で０.１〜２０重量％の、式：
【化１】
2004524392.tif 000001
［式中、Ｘは、同じか若しくは異なる有機基であって、少なくとも１つがアルコキシ基であることを条件として、１００℃以下でイソシアネート基に対して不活性な基であり、
Ｙは、炭素原子数１〜８の直鎖の若しくは分枝したアルキレン基であり、
Ｒは、モノイソシアネート若しくはポリイソシアネートからイソシアネート基を除いて得られる残基であり、
Ｒ１及びＲ２は、同じか若しくは異なる有機基であって、１００℃若しくはそれ以下の温度でイソシアネート基に対して不活性な基であり、
Ｒ３及びＲ４は、同じか若しくは異なる有機基であって、１００℃若しくはそれ以下の温度でイソシアネート基に対して不活性な有機基若しくは水素であり、
ｎは１〜６の数値である。］
で示される、アルコキシシラン基及びスクシニル尿素基を含む化合物
を含んでなる２成分被覆組成物。
【手続補正２】
【補正対象書類名】明細書
【補正対象項目名】００７０
【補正方法】変更
【補正の内容】
【００７０】
本発明について説明のために上記のように詳細に記載したが、これらの記載は説明を目的とするものに過ぎず、特許請求の範囲に規定され得る事項を除いて、本発明の精神及び範囲から離れることなく当業者が種々の変更を行うことができると理解されたい。
尚、本発明において好ましい態様例として、以下の例を挙げることができる：
（１）ａ）ポリイソシアネート成分及びｂ）イソシアネート反応性成分、並びにｃ）前記成分ａ）及びｂ）の重量基準で０.１〜２０重量％の、式：
【化１】
2004524392.tif 000002
［式中、Ｘは、同じか若しくは異なる有機基であって、少なくとも１つがアルコキシ基であることを条件として、１００℃以下でイソシアネート基に対して不活性な基であり、Ｙは、炭素原子数１〜８の直鎖の若しくは分枝したアルキレン基であり、Ｒは、モノイソシアネート若しくはポリイソシアネートからイソシアネート基を除いて得られる残基であり、Ｒ１及びＲ２は、同じか若しくは異なる有機基であって、１００℃若しくはそれ以下の温度でイソシアネート基に対して不活性な基であり、Ｒ３及びＲ４は、同じか若しくは異なる有機基であって、１００℃若しくはそれ以下の温度でイソシアネート基に対して不活性な有機基若しくは水素であり、ｎは１〜６の数値である。］
で示される、アルコキシシラン基及びスクシニル尿素基を含む化合物を含んでなる２成分被覆組成物；
（２）上記第１の形態において、Ｒ１及びＲ２は、同じか若しくは異なる有機基であって、炭素原子数１〜９のアルキル基であり、Ｒ３及びＲ４は水素であり、ｎは１〜４の数値である被覆組成物；
（３）上記第１の形態において、成分ｃ）は、前記成分ａ）及びｂ）の重量基準で０.５〜１０重量％で存在し、Ｒ１及びＲ２は、同じか若しくは異なっていてよく、メチル基、エチル基又はブチル基から選ばれ、Ｒ３及びＲ４は水素であり、ｎは１〜４の数値である被覆組成物；
（４）上記第１の形態において、Ｒは、ポリイソシアネートの反復単位又はポリイソシアネート付加物からイソシアネート基を除いて得られる残基である被覆組成物；
（５）上記第２の形態において、Ｒは、ポリイソシアネートの反復単位又はポリイソシアネート付加物からイソシアネート基を除いて得られる残基である被覆組成物；
（６）上記第３の形態において、Ｒは、ポリイソシアネートの反復単位又はポリイソシアネート付加物からイソシアネート基を除いて得られる残基である被覆組成物；
（７）上記第１の形態において、ポリイソシアネート成分ａ）は、ポリイソシアネートとポリエーテルポリオールとから調製されるＮＣＯプレポリマーを有し、成分ｂ）は、ポリヒドロキシル化合物を有する被覆組成物；
（８）上記第２の形態において、ポリイソシアネート成分ａ）は、ポリイソシアネートとポリエーテルポリオールとから調製されるＮＣＯプレポリマーを有し、成分ｂ）は、ポリヒドロキシル化合物を有する被覆組成物；
（９）上記第３の形態において、ポリイソシアネート成分ａ）は、ポリイソシアネートとポリエーテルポリオールとから調製されるＮＣＯプレポリマーを有し、成分ｂ）は、ポリヒドロキシル化合物を有する被覆組成物；
（１０）上記第４の形態において、ポリイソシアネート成分ａ）は、ポリイソシアネートとポリエーテルポリオールとから調製されるＮＣＯプレポリマーを有し、成分ｂ）は、ポリヒドロキシル化合物を有する被覆組成物；
（１１）上記第５の形態において、ポリイソシアネート成分ａ）は、ポリイソシアネートとポリエーテルポリオールとから調製されるＮＣＯプレポリマーを有し、成分ｂ）は、ポリヒドロキシル化合物を有する被覆組成物；
（１２）上記第６の形態において、ポリイソシアネート成分ａ）は、ポリイソシアネートとポリエーテルポリオールとから調製されるＮＣＯプレポリマーを有し、成分ｂ）は、ポリヒドロキシル化合物を有する被覆組成物；
（１３）上記第７の形態において、成分ｂ）は、ポリエーテルポリオールを有する被覆組成物；
（１４）上記第８の形態において、成分ｂ）は、ポリエーテルポリオールを有する被覆組成物；
（１５）上記第９の形態において、成分ｂ）は、ポリエーテルポリオールを有する被覆組成物；
（１６）上記第１０の形態において、成分ｂ）は、ポリエーテルポリオールを有する被覆組成物；
（１７）上記第１１の形態において、成分ｂ）は、ポリエーテルポリオールを有する被覆組成物；
（１８）上記第１２の形態において、成分ｂ）は、ポリエーテルポリオールを有する被覆組成物；
（１９）上記第１の形態の被覆組成物によって被覆されていることを特徴とする基材；並びに
（２０）上記第１の形態の被覆組成物によって被覆されていることを特徴とする金属基材。